(57)【要約】【課題】  めまい、頭痛、鼻詰まり、肩こり、腰痛、関節痛、不眠といった不快な症状の発生を抑え、あるいは症状が生じた際には、肌に近づけて一定時間保持することで、症状を緩和、解消することができるマイナスイオン発生紙基材、及びそれを用いたぬいぐるみ人形を提供。【解決手段】  常温静止状態においてもマイナスイオンを発生する鉱石粉末を主成分とし、かつ略均一で厚さが１０〜３０００μｍの鉱石粉体層を、基材の少なくとも一方の表面に有することを特徴とするマイナスイオン発生紙基材；このマイナスイオン発生紙基材を素材内部に装入した、ぬいぐるみ人形。【選択図】          図３
0003104077.tif 000002
【実用新案登録請求の範囲】
【請求項１】
常温静止状態においてもマイナスイオンを発生する鉱石粉末を主成分とし、かつ略均一で厚さが１０〜３０００μｍの鉱石粉体層を、基材の少なくとも一方の表面に有することを特徴とするマイナスイオン発生紙基材。
【請求項２】
請求項１に記載のマイナスイオン発生紙基材を、必要により所定の大きさ、形状に切断して、ぬいぐるみ人形本体又はその付属物を構成する素材に貼着するか、内部に装入したことを特徴とするぬいぐるみ人形。
【考案の詳細な説明】
【技術分野】
【０００１】
本考案は、マイナスイオン発生紙基材、及びそれを用いたぬいぐるみ人形に関し、さらに詳しくは、めまい、頭痛、鼻詰まり、肩こり、腰痛、関節痛、不眠といった不快な症状の発生を抑え、あるいは症状が生じた際には、肌に近づけて一定時間保持することで、症状を緩和、解消することができるマイナスイオン発生紙基材、及びそれを用いたぬいぐるみ人形に関する。
【背景技術】
【０００２】
パソコンなどのＯＡ機器に囲まれた事務室、タバコの煙が立ち込める場所や、新建材の接着剤から放出される溶剤などにより大気が汚染された場所では、プラスイオン（プラスの電気を帯びた非常に微細な微粒子）が増加し、マイナスイオン（マイナスの電気を帯びた非常に微細な微粒子）が不足している状態にある。
【０００３】
このような状態の時には、人体に様々な変調をきたすことが近年の医学的研究で明らかにされている。人体への変調とは、めまい、頭痛、鼻詰まり、肩こり、腰痛、関節痛、吐き気、不眠といった不快な症状である。自動車が撒き散らす排気ガスなどによって酷く汚染された場所では、さらに深刻で、人体がこのような環境に長時間さらされると、肺がん、気管支ぜんそく、アレルギー病など極めて深刻な病気を招くことになると言われている。
【０００４】
これまで肩こり、腰痛、筋肉痛等の自覚症状が生じた場合は、筋肉内の血行をよくし、筋肉の緊張・筋肉の硬化・筋肉組織内の血管の圧迫・血行不良、疲労物質の蓄積というコリの悪循環を断ち切る治療が有効であるとされ、ツボ（経絡：電気の通りが良い点）に貼ることで硬くなった筋肉をほぐす磁気治療器が広く知られている。
【０００５】
その代表例として、接着基材の中央部に小さな円板状のフェライト磁石からなる磁気盤を接着した磁気治療器が挙げられ、このような市販品が業界の主流を占めている。ところが、磁気盤が小型で、人体への曝磁面積が狭小であるため、集中的な人体への曝磁は可能なものの、広範囲を曝磁するには多数の磁気治療器を貼付することが必要であった。
【０００６】
このようなことから、磁気盤の代わりに、粘着性シ−ト基材の接着面にＳ極とＮ極とを交互に着磁した磁性体シ−トを用いた救急絆創膏型式の磁気治療器が提案されている（特許文献１参照）。こうして磁性体シ−トの救急絆創膏とすることで、肩こりや筋肉痛などによる痛みが軽減されるが、上記プラスイオンの増加によってもたらされる、めまい、鼻詰まり、頭痛、吐き気、不眠といった不快な症状を十分に緩和することはできない。
【０００７】
これに対して、最近、トルマリンに代表される鉱石が注目され、ぬいぐるみ人形や玩具など様々な日用品雑貨に応用されはじめている。
【０００８】
一般に、ぬいぐるみ人形は、老若男女を問わず人気の高い玩具の一つといえる。そのような身近なぬいぐるみ人形の一例として、外側を包む布の内側に充填される充填物中にトルマリン鉱石粒を混入したものが提案されている（特許文献２参照）。そして、ぬいぐるみ人形を抱いたり触れたりすることによって、人体に悪影響をもたらすプラスイオンをマイナスイオンに変換できるとしている。
【０００９】
マイナスイオンは、皮膚を通じて、あるいは呼吸によって人体に取り入られるが、マイナスイオンの吸収率は、皮膚から約８５％吸収され、呼吸による吸収率（約１５％）に比べて数倍高いとされている。そのため、人体内の血流を促進させるだけでなく、精神にも作用するため、一時的にせよ気分を清々しくさせるものと期待される。
【００１０】
しかしながら、トルマリン自体は、マイナスイオンの発生量が６〜８個／ｃｍ３程度と少なく、常温静止状態ではマイナスイオンを発生せず、しかも有害物質や雑菌などが付着すると、その発生量が著しく減少してしまうので所望の治療効果を得ることができない。
【００１１】
最近、資源のリサイクル強化が叫ばれ、ＰＥＴ（ポリエチレンテレフタレート）ボトル廃棄物から再生された繊維が大量に市場に出回り、その一部がぬいぐるみ人形の充填物（綿やビーズなど）として使用されている。ところが、石油製品由来のＰＥＴ再生品は、多量のプラスイオンを発生するため、皮肉にも幼児や体力のない者にとっては、却って健康にとって好ましくない物ともなりうる。
【００１２】
このような状況にあって、前記のような肩こりなどの痛みだけでなく、鼻詰まりなどの不快な症状を予防し、効果的に解消できる紙基材、それを用いて製作される健康用品、さらには老若男女を問わず愛用できる、健康に良いぬいぐるみ人形が望まれていた。
【特許文献１】特開平１１−２９０４６５号公報
【特許文献２】実用新案登録第３０８００５８号公報
【考案の開示】
【考案が解決しようとする課題】
【００１３】
本考案の目的は、前述した従来技術の問題点に鑑み、めまい、頭痛、鼻詰まり、肩こり、腰痛、関節痛、不眠といった不快な症状の発生を抑え、あるいは症状が生じた際には、肌に近づけて一定時間保持することで、症状を緩和、解消することができるマイナスイオン発生紙基材、及びそれを用いたぬいぐるみ人形を提供することにある。
【課題を解決するための手段】
【００１４】
本考案者は、上記問題点を解決するために鋭意工夫を重ね、モナズ石に代表されるマイナスイオン発生鉱石の粉末は、トルマリンよりも格段にマイナスイオンの発生量が多く、常温静止状態においてもマイナスイオンを発生し、有害物質や雑菌などが付着しても、その発生量が低減しにくいことに着目し、紙基材上にマイナスイオン発生鉱石の粉体層を特定の厚さに形成し、得られた該紙基材を肌に近づけて一定時間保持することで、めまい、頭痛、鼻詰まり、肩こり、イライラ、不眠といった不快な症状を予防し、あるいは効果的に緩和、解消できること、これをぬいぐるみ人形に応用すれば、従来にない機能を有する健康用品が提供できることを確認して、本考案を完成した。
【００１５】
すなわち、本考案の第１の考案によれば、常温静止状態においてもマイナスイオンを発生する鉱石粉末を主成分とし、かつ略均一で厚さが１０〜３０００μｍの鉱石粉体層を、基材の少なくとも一方の表面に有することを特徴とするマイナスイオン発生紙基材が提供される。
【００１６】
一方、本考案の第２の考案によれば、第１の考案のマイナスイオン発生紙基材を、必要により所定の大きさ、形状に切断して、ぬいぐるみ人形本体又はその付属物を構成する素材に貼着するか、内部に装入したことを特徴とするぬいぐるみ人形が提供される。
【考案の効果】
【００１７】
本考案は、常温静止状態においてもマイナスイオンを発生する、略均一な厚さの鉱石粉体層を表面に形成した紙基材であるために、各種日用品雑貨などの素材として手軽に使用できるだけでなく、人体に悪影響をもたらすプラスイオンをより効果的にマイナスイオンに変換でき、人体内の血流を促進させ、めまい、頭痛、鼻詰まり、肩こり、腰痛、関節痛、不眠といった不快な症状を予防でき、この紙基材を肌に近づけて保持すれば、症状を緩和、解消することができる。
かかる紙基材を素材内側に装入したぬいぐるみ人形は、これを抱いたり触れたりすることによって、人体の皮膚表層やツボへ適度な刺激を与えれば、マイナスイオンを皮膚へ浸透させ、人体の新陳代謝や血液循環、視床下部の働きを促進し、身体を活性化するという効果を奏する。
【考案を実施するための最良の形態】
【００１８】
以下に、本考案のマイナスイオン発生紙基材、ぬいぐるみ人形を図面に基づいて詳細に説明する。
【００１９】
１．マイナスイオン発生紙基材
図１は、鉱石粉体層（２）を担持した紙基材（１）からなる本考案のマイナスイオン発生紙基材（３）を示しており、図２は、その縦断面を示している。特徴部分である鉱石粉体層（２）は、マイナスイオン発生鉱石粉体を略均一で特定の厚さに紙基材（１）上へ印刷したものである。
【００２０】
鉱石粉体層（２）を構成するマイナスイオン発生鉱石粉体としては、トルマリンよりも多量のマイナスイオンを発生する鉱石であって、しかも、人体への悪影響の少ない鉱石であれば特に限定されない。したがって、マイナスイオン発生鉱石としては、モナズ石、バストネス石、サマルスキー石、トリウム石、フェルグソン石、カルノー石、トロゴム石、ゼノタイム等の鉱石が挙げられる。
【００２１】
例えば、モナズ石やバストネス石は、常温静止状態においてもマイナスイオンを発生し、その発生量がトルマリンよりも格段に多く、有害物質や雑菌などが付着しても、マイナスイオンの発生量が低減しにくいことから、本考案にとって最も好ましい鉱石である。
【００２２】
モナズ石の組成成分は、産出される場所等によって組成成分が大幅に変動するが、一般的には、ＣｅＯ２（２０〜３５重量％）、Ｐ２０５（１５〜２５重量％）、Ｌａ２Ｏ３（１０〜１５重量％）、Ｎｄ２Ｏ３（５〜１３重量％）、ＴｈＯ２（３〜９重量％）、Ａｌ２０３（２〜５重量％）、Ｇｄ２Ｏ３（２〜５重量％）、ＳｉＯ２（２〜５重量％）が主成分を占めている。
【００２３】
モナズ石は、このほかに、それぞれ１重量％程度のＦｅ２Ｏ３、ＭｇＯ、Ｎａ２Ｏ、Ｔｉ２Ｏ３、Ｂ２Ｏ３、ＣａＯ、Ｋ２Ｏ３、Ｌｉ２Ｏ、Ｙ２Ｏ３、Ｆ、ＺｒＯ２を含み、さらに微少成分として、それぞれ１重量％未満のＭｎＯ、ＰｂＯ、ＺｎＯ、Ｄｙ２Ｏ３、ＳｎＯ２、Ｕ３Ｏ８などを含有している。これら成分のうち希土類元素（放射性稀有元素）は、いずれもウラン系もしくはトリウム系の半減期の長いものである。
【００２４】
なお、バストネス石は、主にアメリカ合衆国、中国等のカーボナイト鉱床から、チタン、錫、ウラン、トリウム等を採掘した際の副産物として得られるものであり、ＣｅＯ２（２０〜５５重量％）、Ｌａ２Ｏ３（２０〜４０重量％）、Ｆｅ２Ｏ３（８〜１５重量％）などを主成分としている。
【００２５】
鉱石粉末は、微粉末にした方が表面積を大きくすることができ、加えてマイナスイオンや放射線の鉱石内吸収も少なくなるので好ましい。例えば粉末の平均粒径が０．５〜１０μｍ、特に１〜５μｍであることが好ましい。平均粒径が１０μｍよりも大きいと、紙基材への均一な厚さの印刷が困難となり、かつ基材から脱着しやすくなり、一方、平均粒径が０．５μｍよりも小さくするのは治療効果の割に粉砕コストが大きくなるので経済的ではない。
【００２６】
紙基材としては、プラスイオンを発生しないセルローズ系天然繊維からなる紙（和紙でも洋紙でもよい）が好ましいが、これに限定されるわけではない。ポリアミド、ポリエステル等の合成繊維の編織物や不織布であってもよい。
【００２７】
紙の厚さは、特に限定されないが１０〜８００μｍ、好ましくは２０〜５００μｍ、さらに好ましくは３０〜３００μｍとする。また、紙の寸法も特に限定されず、用途に応じて様々なサイズのものを使用でき、縦横の長さが、１０〜５０ｃｍ程度のものを例示することができる。ただし、印刷効率や取り扱い性を考慮すれば、市販のＢ５版以上Ａ３版用紙以下（一辺が２０〜４０ｃｍ）のものを選択することが好ましい。
【００２８】
紙基材に鉱石粉体層を形成するには、先ず鉱石粉末を溶剤に溶解し、バインダー樹脂と均一に混合して、印刷インク（ペースト）を調製する。必要により、顔料や肌触りや耐久性などを改善するために各種充填材を混合しても良い。
【００２９】
鉱石粉末を溶解する溶剤としては、従来から知られているバインダー樹脂用の有機溶剤を用いることができる。鉱石粉末を樹脂バインダー中に均一に混合させるためには、各種のアニオン系、カチオン系、両性、非イオン系界面活性剤を用いることもできる。
【００３０】
バインダー樹脂は、万一、皮膚に接触しても鉱石や樹脂が付着しないように水不溶性であり、且つマイナスイオン発生鉱石の微粉末から放出されるマイナスイオンの効果を阻害しないものでなければならない。このためには、アクリル樹脂、ウレタン樹脂、エポキシ樹脂やシリコン樹脂系の塗料を用いることができる。
【００３１】
次に、マイナスイオン発生鉱石の微粉末を含む印刷インクを紙基材に印刷する。印刷法としては、例えば、シール印刷法、シルクスクリーン法（フラットスクリーンプリント法）、ロールプリント法、ロータリースクリーンプリント法などが採用できる。シール印刷法であれば、平圧式シール印刷機、輪転式シール印刷機のいずれを用いても良い。
【００３２】
このほか、本考案の目的を損なわないのであれば、フローティングナイフコーティング法、ナイフオンロールコーティング法、ロールオンロールコーティング法、キスロールコーティング法等のコーティング法を採用することも可能である。
【００３３】
印刷法として好ましいのは、シルクスクリーン法である。この印刷法によって印刷する場合、形成できる鉱石粉体層の厚さは、スクリーンの網の目のサイズによって支配されるが、本考案において重要なことは、鉱石粉体層の厚さが紙基材と同程度以上、すなわち１０〜３０００μｍ、好ましくは２０〜２０００μｍ、さらに好ましくは３０〜１５００μｍの厚さになるように、インクの成分、スクリーンの種類を選択することである。所望の厚さが一度に得られない場合は、数回に分けて重ね印刷してもよい。
印刷は紙全面に行っても良いし、その一部分に印刷しても良い。通常は、図１のように、紙の前後左右に１０〜２０ｍｍの余白を設けるのが取扱い上好ましい。
【００３４】
図１では、鉱石粉体層（２）のコーナーが丸くなった長方形であるものを例示したが、その形状は、四角形（正方形、長方形、ひし形）に限定されず、三角形、五角形、六角形、円形（楕円含む）など、いかなる形状であってもよい。また、その面積も様々なものを用意することができる。紙の片面だけに印刷しても良いし、両面に印刷しても良い。
【００３５】
鉱石粉体層は、マイナスイオンの発生量が３０個／ｃｍ３以上、好ましくは３０〜５０００個／ｃｍ３、さらに好ましくは５０〜３０００個／ｃｍ３になるように、鉱石粉体の種類を選択し、使用量を調節して印刷する必要がある。マイナスイオンの発生量が３０個／ｃｍ３未満でも、不快な症状を予防し緩和する効果が全く得られないわけではないが、症状を解消するには時間がかかる。
なお、本考案において、マイナスイオンの発生量は、市販のイオン計測器で測定され、その検出表示が安定する２０秒後の数値を示すものとする。
【００３６】
マイナスイオン発生鉱石の微粉末を含んだ印刷インク（塗料）は、紙基材上に層状となるように印刷後、乾燥し、固着せしめる。乾燥、固着の温度は、用いたバインダー樹脂、溶剤の種類によって異なる。乾燥方法は、特に限定されず、送風乾燥機、真空乾燥機、電磁波乾燥機、赤外線乾燥機などを用いて、５０〜１５０℃で行うことが好ましい。乾燥温度は、乾燥温度や乾燥機の種類にもよるが、３分〜３０時間、好ましくは５分〜２４時間とする。
【００３７】
鉱石粉体層（２）には、その表面を覆うように防水性のコーティング層を設けても良い。また、紙基材（１）の他方の面には、接着剤を塗布し、剥離紙の上に配置できるようにしてもよい。これにより、本考案のマイナスイオン発生紙基材を、壁紙や各種の健康用品や、その原材料の表面に接着することができる。剥離紙は、パラフィン紙などのように表面が平滑な材料が使用でき、配置した紙基材がずれにくく、使用時に容易に剥がせるような材料であれば特に限定されない。
【００３８】
接着剤は、この分野で使用されているものであれば、特に制限されないが、皮膚に直接触れる健康用品に適用されるものでは、腫れ、カブレ、湿疹などを生じない材料を選択しなければならない。また、紙基材に微小な通気孔を透設することもできる。
【００３９】
本考案のマイナスイオン発生紙基材は、紙単独で用いることができることはもちろんのこと、紙を主な構成要素とする壁紙やランプの笠（シェード）などにも好ましく使用できる。紙基材上の鉱石粉体層をネット、脱脂綿などを組み合わせれば、傷あてパッド（手当て材）としても活用できる。紙基材の接着面をポリウレタンに載せれば基材シートに伸縮性をもたせることも可能となる。
【００４０】
また、本考案の紙基材を適用できる健康用品としては、以下に詳述するぬいぐるみ人形だけでなく、枕（抱き枕）、靴（靴底）、お守り、アクセサリー（携帯ストラップ、ネックレス、ブレスレット）などを挙げることができる。
【００４１】
２．ぬいぐるみ人形
本考案において特に好ましい健康用品は、ぬいぐるみ人形であり、図３は、ぬいぐるみ人形の外観を示し、図４は、その内部を背面から見たものである。本考案のマイナスイオン発生紙基材（１０Ａ、１０Ｂ、１０Ｃ）が、ぬいぐるみ本体（１１）を構成する素材の内側（袋状となる外皮布と綿の間隙）に装入された様子を示している。
【００４２】
通常、ぬいぐるみ人形を作製するには、人形の外皮となる数枚の布（タオル、不織布、その他の布状物）を用意する。それを所定の大きさ、形状に裁断し、布同士を袋状に縫い合わせて、各部分の外皮となるようにする。こうして小袋状とされた部品を１個ないし複数個使用して、頭、胴体、手足、しっぽなどの各部分が形成される。そして、外皮となる袋の中に多量の充填材料（綿、布切れ、ガーゼ、スポンジ、ビーズ等）が充填され、縫い合わされて人形本体の各部分が出来上がる。最後に、人形本体の各部分が所定の場所に配置、結合されて、所望の形態をしたぬいぐるみ人形が完成する。
【００４３】
本考案の紙基材は、その充填材料を袋に入れる前に袋（外形を構成する布）の内側に貼着するか、袋の内側に装入すればよい。充填物の布に貼着するか、充填の際に紙基材を一緒に装入してもよい。貼着する場合は、接着剤付の紙基材を用い、装入する場合は裏面に接着剤がないものを用いればよい。予め袋または充填物の表面に貼り付けておけば、ぬいぐるみの形状を整えやすく、作業能率が上がるという利点がある。
【００４４】
紙基材は、ぬいぐるみ人形の大きさ、装入（貼着）する場所などによって、最適な大きさ（寸法）のものを選択する。装入（貼着）する場所の面積が小さい場合や複雑な形状である場合は、適宜必要な寸法、形状に切断して用いることができる。
【００４５】
面積の大きな紙基材を採用すれば、多量の鉱石粉末が担持されているため、広範囲にマイナスイオンを作用させることができ治療効果も向上する。一方、面積の小さい紙基材を採用すれば、少量の鉱石粉末しか担持されていないが、小さな部品や複雑な部分への装入（貼着）が可能となる。通常は、直径（一辺）が１０〜８０ｍｍ、特に２０〜５０ｍｍに切断した紙基材を用いることが取り扱い上、好ましい。また、大きなぬいぐるみであれば、切断せずにそのまま使えばよい。
【００４６】
装入箇所は、ぬいぐるみ本体（部分）を構成し、その形状を決定付ける袋（布）の内側であれば特に限定されない。すなわち、袋と充填物との間隙、布が二枚以上で構成されている場合は、その内部、あるいは充填物の内部に装入することができる。紙基材は一枚だけ装入（貼着）すればよいが、特に大きなマイナスイオン効果を期待する箇所には二枚以上を重ねて装入（貼着）することもできる。図３のぬいぐるみは、蝶ネクタイをつけた犬の例であるが、取り外し可能な蝶ネクタイの布にも紙基材を装入（貼着）することができる。
【００４７】
前記特許文献２では、ぬいぐるみは、トルマリン鉱石を混入した充填物収納袋を、外皮の袋に充填して製作されている。ところが、トルマリン鉱石は、常温静止状態ではマイナスイオンの発生量が少ないので、このように充填物やその収納袋で覆われると、ぬいぐるみの外側では極めて少ないマイナスイオン量になってしまう。したがって、子供やお年寄り、妊娠中や授乳中のお母さんなどにはマイルドなので良いかもしれないが、前記肩こりや頭痛などの諸症状に悩む学生や若者を含むすべての者の体調維持に活用できるものとはならない。
【００４８】
本考案の紙基材は、ぬいぐるみの本体（部分）の袋内に装入（貼着）することを意図しているが、布袋（外皮）の外表面上に縫い付けて、外観に特徴をもたせてもよい。例えば、布生地からなる円形の目玉の付着物を紙基材によって作製し、これをぬいぐるみ人形の外皮の外表面上に設けても良い。
【００４９】
なお、本考案のマイナスイオン発生紙基材とは別に、その原料である鉱石粉末の粉末を外皮と充填物の間隙に充填することもできる。これにより、皺や弛みをなくし、流動性と変形の柔軟性を具備させ、人がぬいぐるみに触れたり抱いたりしたときに違和感を与えないようにすることができる。
【００５０】
本考案のぬいぐるみ人形は、近くに置いて眺めたり、胸に抱いたり手に触れることにより心をいやし、前記の症状を解消するためのものである。図３、図４では、犬のぬいぐるみ人形を例示したが、本考案の目的を逸脱しない範囲内において種々変更を加え得ることは勿論である。猫、熊、狸、馬、カバ、キリン、ライオン、クジラ、イルカ、ラッコなどの動物、あひる、鳩、ペンギンなどの鳥類といった各種動植物、さらには、テレビアニメ人形、キャラクター人形や、自動車、電車、飛行機など乗り物の形態とすることができる。
【００５１】
ぬいぐるみが汚れた場合、汚れた外皮（布）の表面部分だけを手洗いしてもよいし、丸ごと洗濯機にいれて洗う事も可能である。本考案者が、洗濯後のマイナスイオン発生量を計測したところ、意外にも以前より減少するどころか、逆に若干増加することを確認している。
【００５２】
本考案のマイナスイオン発生紙基材、それを用いたぬいぐるみ人形を利用することで、前記症状の緩和、解消のほか、疲労回復と安眠などに大きな効果を期待できる。このような効果が長期間持続すれば、やがて間接的効果として、便通の正常化、創傷及び潰瘍の修復作用・肉芽形成の促進、造血作用、胃腸に対する作用、強壮作用を向上することが可能となる。
【００５３】
以下、本考案の実施例について説明するが、本考案はこれらの実施例に限定されるものではない。
【実施例１】
【００５４】
モナズ石の鉱石粉末（平均粒径３μｍ）をバインダー樹脂（アクリル樹脂）溶液と均一に混合し、印刷インクを調製した。次に、平圧式シール印刷機を用いて、紙基材（和紙、３００ｍｍ×４００ｍｍ）の表面に、均一で平均５００μｍの厚さの長方形（２８０ｍｍ×３８０ｍｍ）になるように鉱石粉末層を印刷した。
送風乾燥機を用いて、紙基材の鉱石粉末層を８０〜１００℃で１０時間乾燥させ、本考案のマイナスイオン発生紙基材を作製した。マイナスイオンをＥＣＯ−ＨＯＬＩＳＴＩＣ  ＩＮＣ製の計測器「イオンテスター」で測定すると、検出表示が安定する２０秒後に８００個／ｃｍ３のマイナスイオンが検出された。
【実施例２】
【００５５】
実施例１で作製した紙基材を、５０ｍｍ四方の略正方形となるようにカットし、１２枚のシートを用意した。
次に、これを図３に示す外観をしたぬいぐるみ人形の外皮（布）と充填物の間隙に装入した。装入箇所は、図４に示すように頭（顔）の全周に６枚、胴体の周囲に４枚、そのほか両手にも各一枚装入した。なお、外皮の布として、綿４０％、ポリエステル６０％の割合からなるタオル生地を使用し、充填物となる綿部としては、ポリエステルファイバーを使用した。
ぬいぐるみの頭部分のマイナスイオンをＥＣＯ−ＨＯＬＩＳＴＩＣ  ＩＮＣ製の計測器「イオンテスター」で測定すると、検出表示が安定する２０秒後に６００個／ｃｍ３のマイナスイオンが検出された。
【００５６】
（使用例１）
上記実施例２で得られたぬいぐるみをパソコンの近くに置いた。毎日平均５時間パソコンで事務作業をした。徐々に効果が出始めて、三ヶ月後には慢性的な肩こりが解消した。前記と同様にマイナスイオンを測定すると、検出表示が安定する２０秒後に５９０個／ｃｍ３のマイナスイオンが検出された。
【００５７】
（使用例２）
上記実施例２で得られたと同じぬいぐるみを幼児に与え、一ヶ月間使用させたところ、顔の表面が汚れてきたので、洗濯機に入れ通常の強度で洗濯した。完全に乾燥してから、前記と同様にマイナスイオンを測定すると、検出表示が安定する２０秒後に６１０個／ｃｍ３のマイナスイオンが検出された。
【産業上の利用可能性】
【００５８】
本考案のマイナスイオン発生紙基材を健康用品の素材に活用して、これを身の回りに置き、あるいは肌に近づければ、疲労回復と安眠、病中病後の食欲の増進、体力の回復、消炎作用、抹消血管拡張作用、鎮痛作用（腰痛・頭痛・肩こり・関節痛・神経痛・五十肩の治療）、抗リウマチ作用、抹消神経に対する作用、血圧調整効果、美容効果（肌の艶と血色）が得られることから、本考案は特に医療分野や健康産業において大きな利用価値がある。
【図面の簡単な説明】
【００５９】
【図１】本考案のマイナスイオン発生紙基材の平面図である。
【図２】図１に示したマイナスイオン発生紙基材の縦断面図である。
【図３】本考案のマイナスイオン発生紙基材を内部に装入したぬいぐるみ人形の正面図である。
【図４】図３のぬいぐるみ人形の背面図であり、所定の大きさに切断したマイナスイオン発生紙基材が内部に装入された状態を示している。
【符号の説明】
【００６０】
１  紙基材
２  鉱石粉末層
３  マイナスイオン発生紙基材（全体）
１０Ａ、Ｂ、Ｃ  切断したマイナスイオン発生紙基材
１１  ぬいぐるみ人形本体
１２  付属品
【図１】
0003104077.tif 000003
【図２】
0003104077.tif 000004
【図３】
0003104077.tif 000005
【図４】
0003104077.tif 000006